【手続補正書】
【提出日】平成20年1月10日(2008.1.10)
【手続補正１】
【補正対象書類名】明細書
【補正対象項目名】特許請求の範囲
【補正方法】変更
【補正の内容】
【特許請求の範囲】
【請求項１】  迅速なページング・チャンネルの検出と首尾よい復号を容易にするシステムであって：
第一の長さの同期的積算器及び第二の長さの非同期的積算器を有し、受信信号に基づいて迅速なページング・チャンネルに関連するパイロット信号を検出する第一の手段；
前記パイロット信号に基づいて前記システムの動作特性を決定する第二の手段；及び
前記動作特性に基づいて前記第一の長さ及び第二の長さを最適化する第三の手段を含むシステム。
【請求項２】  前記第一の手段は、前記受信信号を受信し、それに対応してディジタル受信信号を標本ランダム・アクセス・メモリに供給する符号分割多元接続受信回路を含む請求項１のシステム。
【請求項３】  前記標本ランダム・アクセス・メモリは所定の時間スロットで前記ディジタル受信信号を標本化し、それに対応して標本化受信信号を供給する手段を含む請求項２のシステム。
【請求項４】  前記第一の手段は前記標本化受信信号の情報率を調整し、それに対応して情報率−調整信号を供給する補間器を含む請求項３のシステム。
【請求項５】  前記第一の手段は前記第一の同期的積算器及び前記非同期的積算器を有する探索器を含む請求項４のシステム。
【請求項６】  前記探索器はさらに第二の同期的積算器を含む請求項５のシステム。
【請求項７】  前記探索器は前記情報率−調整信号と疑似雑音候補符号との相関をとり、それに対応して相関結果を供給する複合逆拡散器／相関器を含む請求項６のシステム。
【請求項８】  前記第一の同期的積算器及び前記第二の同期的積算器は所定数のチップ上で前記第一の長さに対応する前記相関結果を同期的に積算し、それに対応して第一及び第二の積算値を供給する手段を含む請求項７のシステム。
【請求項９】  前記探索器は前記第一及び第二の積算値を二乗し、それに対応して第一及び第二の平方値をそれぞれ供給する手段をさらに含む請求項８のシステム。
【請求項１０】  前記探索器は前記第一及び第二の平方値を加算し、それに対応して和を供給する手段をさらに含む請求項９のシステム。
【請求項１１】  前記非同期的積算器は所定数、即ち前記第二の長さに対応する所定数の値にわたって前記和を非同期的に積算し、前記パイロット信号に対応してパイロット評価値を出力する手段を含む請求項１０のシステム。
【請求項１２】  前記第一の手段は前記パイロット評価値に関連するパイロット・エネルギを前記パイロット評価値から計算する手段を含む請求項１１のシステム。
【請求項１３】  前記第二の手段は前記パイロット評価値及び前記パイロット・エネルギに基づいて前記受信器動作特性を提供する手段を含む請求項１２のシステム。
【請求項１４】  第三の手段は前記受信器動作特性に基づいて前記第一の長さ及び前記第二の長さに関する最適値を計算し、それに対応して前記第一の長さ及び前記第二の長さを調整する手段を含む請求項１３のシステム。
【請求項１５】  前記第一の長さは５１２で、前記第二の長さは４より小さいか等しい請求項１４のシステム。
【請求項１６】  無線通信網において出現する一次ページング・チャンネルの検出を容易にするシステムであって：
前記無線通信網の第一の通信装置と第二の通信装置との間の通信回線を確立する第一の手段であって、前記通信回線は迅速なページング・チャンネル、一次ページング・チャンネル、及びトラフィック・チャンネルを支援し；
前記迅速なページング・チャンネルを経由して送信される所定の信号を検出する第二の手段であって、前記所定の信号は前記一次ページング・チャンネル上に出現するメッセージを示し、前記第二の手段は一またはそれ以上の積算器を有する探索器を含み、前記出現するページング・メッセージはトラフィック・チャンネル上で呼出到来を示し；
前記第二の無線通信装置の受信動作特性に基づいて前記一またはそれ以上の積算器に関連する積算長を選択する第三の手段；及び
前記一次ページング・チャンネルの冗長な処理を除去するため前記所定の信号を使用する第四の手段であって、前記所定の信号は前記一次ページング・チャンネル上の前記出現するページング・メッセージより前に前記迅速なページング・チャンネルを経由して前記第一の通信装置から前記第二の通信装置により受信される、を含むシステム。
【請求項１７】  前記第一の通信装置は基地局及び基地局制御器を含む請求項１６のシステム。
【請求項１８】  前記第二の通信装置は無線電話である請求項１７のシステム。
【請求項１９】  前記無線通信網は符号分割多元接続通信網である請求項１８のシステム。
【請求項２０】  前記所定の信号は所定の期間に所定の時間スロットの間前記基地局により送信された迅速なページング・チャンネル信号を含み、前記迅速なページング・チャンネル信号は出現するページング・メッセージまたはその欠落を示す第一の二値または第二の二値をそれぞれ有する請求項１８のシステム。
【請求項２１】  前記第二の手段は同期的積算器及び非同期的積算器を含む請求項２０のシステム。
【請求項２２】  前記非同期的積算器は相関長２を有する請求項２１のシステム。
【請求項２３】  前記同期的積算器は相関長５１２を有する請求項２１のシステム。
【請求項２４】  無線通信装置の待機時間を延長するためのシステムであって：
関連する無線通信システムを経由して前記無線通信装置に放送られる短いページを使用する第一の手段であって、前記短いページはその後のより長いページが前記無線通信装置で処理されるべきかどうかを示し；
前記短いページを探索し、前記短いページが第二の手段で検出されればそれに対応してページ指示を提供し、第一の信号集計装置及び第二の信号集計装置を含む第二の手段；
前記システムの動作特性に基づいて前記第一及び第二の信号集計装置の計算長を最適化する第三の手段；
前記のより長いページが出現し、それに対応して信号を供給しつつあるかどうかを決定するため前記ページ指示を処理する第四の手段；及び
前記信号に対応して前記出現するより長いページを処理する第五の手段、
を含むシステム。
【請求項２５】  迅速なページング・チャンネルの検出と首尾よい復号を容易にするシステムであって：
前記迅速なページング・チャンネルを受信及び逆被包する第一の手段；
第一の長さの同期的積算器及び第二の長さの非同期的積算器を有し、前記迅速なページング・チャンネルに関連するエネルギを計算する第二の手段；
前記エネルギに基づいて前記第一の手段の動作特性を計算する第三の手段；及び
前記受信器動作特性に基づいて前記第一の長さ及び前記第二の長さを最適化する第四の手段、を含むシステム。
【請求項２６】  前記迅速なページング・チャンネルを経由して受信された符号を最適に検出するため前記第二の手段において前記第一の長さ及び前記第二の長さを使用する手段をさらに含む請求項２５のシステム。
【請求項２７】  迅速なページング・チャンネル及び一次ページング・チャンネルを支援する無線通信システムにおいて迅速なページング・チャンネルの検出と首尾よい復号を容易にするシステムであって：
迅速なページング・チャンネルの検出を容易にする迅速なページング・チャンネル探索器、５１２及び４の積算長それぞれもつ同期的積算器及び非同期的積算器を有する前記探索器；
前記迅速なページング・チャンネル検出に対応して迅速なページング・チャンネル・メッセージを受信し、それに対応して第一の指示を供給する制御器；及び
前記第一の指示が出現する一次ページング・チャンネルを指示するとき、出現するページング・チャンネルを処理する処理回路、を含むシステム。
【請求項２８】  第一の長さの同期的積算器及び第二の長さの非同期的積算器により特徴付けられるシステムにおいて、迅速なページング・チャンネルの検出と首尾よい復号を容易にする方法であって：
受信信号に基づいて迅速なページング・チャンネルに関連するパイロット信号を検出するステップ；
前記パイロット信号に基づいてシステムの動作特性を決定するステップ；及び
前記動作特性に基づいて前記第一の長さ及び第二の長さを最適化するステップ、を含む方法。
【請求項２９】  前記検出するステップは、符号分割多元接続受信回路により前記受信信号を受信し、それに対応してディジタル受信信号を標本ランダム・アクセス・メモリに供給することを含む請求項２８の方法。
【請求項３０】  前記標本ランダム・アクセス・メモリは所定の時間スロットで前記ディジタル受信信号を標本化し、それに対応して標本化受信信号を供給する請求項２９の方法。
【請求項３１】  前記検出するステップは、前記標本化受信信号の情報率を調整し、それに対応して補間器により情報率−調整信号を供給することを含む請求項３０の方法。
【請求項３２】  前記検出するステップのために、前記第一の同期的積算器及び前記非同期的積算器を有する探索器を含む請求項３１の方法。
【請求項３３】  前記探索器はさらに第二の同期的積算器を含む請求項３２の方法。
【請求項３４】  前記探索器は前記情報率−調整信号と疑似雑音候補符号との相関をとり、それに対応して相関結果を供給する複合逆拡散器／相関器を含む請求項３３の方法。
【請求項３５】  前記第一の同期的積算器及び前記第二の同期的積算器は所定数のチップ上で前記第一の長さに対応する前記相関結果を同期的に積算し、それに対応して第一及び第二の積算値を供給する請求項３４の方法。
【請求項３６】  前記探索器は前記第一及び第二の積算値を二乗し、それに対応して第一及び第二の平方値をそれぞれ供給することをさらに含む請求項３５の方法。
【請求項３７】  前記探索器は前記第一及び第二の平方値を加算し、それに対応して和を供給することをさらに含む請求項３６の方法。
【請求項３８】  前記非同期的積算器は所定数、即ち前記第二の長さに対応する所定数の値にわたって前記和を非同期的に積算し、前記パイロット信号に対応してパイロット評価値を出力することを含む請求項３７の方法。
【請求項３９】  前記検出するステップは、前記パイロット評価値に関連するパイロット・エネルギを前記パイロット評価値から計算することを含む請求項３８の方法。
【請求項４０】  前記決定するステップは、前記パイロット評価値及び前記パイロット・エネルギに基づいて前記受信器動作特性を提供することを含む請求項３９の方法。
【請求項４１】  前記最適化するステップは、前記受信器動作特性に基づいて前記第一の長さ及び前記第二の長さに関する最適値を計算し、それに対応して前記第一の長さ及び前記第二の長さを調整することを含む請求項４０の方法。
【請求項４２】  前記第一の長さは５１２で、前記第二の長さは４より小さいか等しい請求項４１の方法。
【請求項４３】  無線通信網において出現する一次ページング・チャンネルの検出を容易にする方法であって：
前記無線通信網の第一の通信装置と第二の通信装置との間の通信回線を確立し、前記通信回線は迅速なページング・チャンネル、一次ページング・チャンネル、及びトラフィック・チャンネルを支援し；
一またはそれ以上の積算器を有する探索器を含み、前記迅速なページング・チャンネルを経由して送信される所定の信号を検出し、前記所定の信号は前記一次ページング・チャンネル上に出現するメッセージを示し、前記出現するページング・メッセージはトラフィック・チャンネル上で呼出到来を示し；
前記第二の無線通信装置の受信動作特性に基づいて前記一またはそれ以上の積算器に関連する積算長を選択し；及び
前記一次ページング・チャンネルの冗長な処理を除去するため前記所定の信号を使用し、前記所定の信号は前記一次ページング・チャンネル上の前記出現するページング・メッセージより前に前記迅速なページング・チャンネルを経由して前記第一の通信装置から前記第二の通信装置により受信される、ことを含む方法。
【請求項４４】  前記第一の通信装置は基地局及び基地局制御器を含む請求項４３の方法。
【請求項４５】  前記第二の通信装置は無線電話である請求項４４の方法。
【請求項４６】  前記無線通信網は符号分割多元接続通信網である請求項４５の方法。
【請求項４７】  前記所定の信号は所定の期間に所定の時間スロットの間前記基地局により送信された迅速なページング・チャンネル信号を含み、前記迅速なページング・チャンネル信号は出現するページング・メッセージまたはその欠落を示す第一の二値または第二の二値をそれぞれ有する請求項４５の方法。
【請求項４８】  前記探索器は同期的積算器及び非同期的積算器を含む請求項４７の方法。
【請求項４９】  前記非同期的積算器は相関長２を有する請求項４８の方法。
【請求項５０】  前記同期的積算器は相関長５１２を有する請求項４８の方法。